(57)【要約】  【課題】  ユーザが、撮像対象を動画像として撮像しつつ、撮像対象の一部を拡大画像として表示部で確認することができる撮像装置を提供する。  【解決手段】  表示部１４に表示されている原画像２の一部２１を、タッチパネル１３０に手を触れることによってユーザが選択した場合、撮像装置１が撮像して作成した原画像２の原画像データを用いて、ユーザが選択した一部２１を含む画像範囲２２を拡大した拡大画像データを作成し、作成した拡大画像データに係る拡大画像２２０を表示部１４に表示する。この場合、撮像装置１は、拡大画像２２０の拡大画像データではなく原画像２の原画像データを記録する。【選択図】      図２
2005348363.tif 000002
【特許請求の範囲】
【請求項１】
撮像対象を撮像して画像データを作成する撮像手段と、該撮像手段が作成した画像データに係る画像を表示する表示手段とを備える撮像装置において、
前記表示手段に表示されている画像の一部の選択を受け付ける選択受付手段と、
該選択受付手段が前記選択を受け付けた場合、選択された一部を含む画像範囲を特定する特定手段と、
該特定手段が特定した画像範囲を前記表示手段の表示サイズ以下のサイズに拡大した拡大画像に係る拡大画像データを作成する拡大手段と
を備え、
前記表示手段は、前記拡大手段が作成した拡大画像データに係る拡大画像を表示するようにしてあることを特徴とする撮像装置。
【請求項２】
前記選択受付手段が前記選択を受け付けた場合、選択された一部に係る撮像対象に対して前記撮像手段の焦点を合わせる焦点合致手段を備え、
該焦点合致手段が合わせた焦点で前記撮像手段が前記撮像対象を撮像して画像データを作成するようにしてあることを特徴とする請求項１に記載の撮像装置。
【請求項３】
前記選択受付手段が前記選択を受け付けた場合、選択された一部に係る撮像対象に対して前記撮像手段の絞りを調整する絞り調整手段を備え、
該絞り調整手段が調整した絞りで前記撮像手段が前記撮像対象を撮像して画像データを作成するようにしてあることを特徴とする請求項１又は２に記載の撮像装置。
【請求項４】
前記選択受付手段が前記選択を受け付けた場合、選択された一部に対してホワイトバランスを調整するホワイトバランス調整手段を備え、
該ホワイトバランス調整手段が調整したホワイトバランスで前記撮像手段が画像データを作成するようにしてあることを特徴とする請求項１乃至３の何れかひとつに記載の撮像装置。
【請求項５】
前記表示手段が前記拡大画像を表示する場合に、前記撮像手段が作成した画像データを記憶する記憶手段を備えることを特徴とする請求項１乃至４の何れかひとつに記載の撮像装置。
【請求項６】
前記表示手段が前記拡大画像を表示する場合に、拡大画像を表示中であることを報知する報知手段を備えることを特徴とする請求項１乃至５の何れかひとつに記載の撮像装置。
【請求項７】
前記画像の表示サイズはＭ×Ｎ（Ｍ，ＮはＭ又はＮが２以上の自然数）の画素数を有し、
画素数ｍ及びｎ（ｍ，ｎはｍ≦Ｍかつｎ＜Ｎ又はｍ＜Ｍかつｎ≦Ｎの自然数）を受け付ける画素数受付手段を備え、
該画素数受付手段が画素数ｍ及びｎを受け付けた場合、前記特定手段は、前記画像範囲としてｍ×ｎの画像範囲を用いるようにしてあることを特徴とする請求項１乃至６の何れかひとつに記載の撮像装置。
【発明の詳細な説明】
【技術分野】
【０００１】
本発明は、撮像対象を撮像して作成した画像データに係る画像を表示する撮像装置に関する。
【背景技術】
【０００２】
デジタルスチルカメラ、デジタルビデオカメラ等の撮像装置は、撮像装置の撮像視野に捉えた撮像対象を撮像して画像データを作成する撮像部と、作成した画像データに係る画像を表示する表示部とを備える。また、撮像装置は、作成した画像データを記憶する記憶部を備える。更に、タッチパネルで構成された表示部を備え、表示されている画像の所望の位置にユーザが手を触れた場合、ユーザが触れた位置に焦点を合わせる撮像装置が用いられている。
【０００３】
更にまた、従来、撮像対象に高輝度物体が含まれている場合に画像が不必要に明るくなる白飛び又は暗くなる黒つぶれを防止するため、絞りを適切に調整する撮像装置が考案されている（特許文献１参照）。
【特許文献１】特開２０００−４１１７７号公報
【発明の開示】
【発明が解決しようとする課題】
【０００４】
従来の撮像装置は、撮像対象を撮像装置の撮像視野に捉えている場合、撮像対象の画像を表示部に表示させる。このため、撮像対象の画像の一部を拡大表示させることができなかった。つまり、従来の撮像装置のユーザには、例えば陸上競技場のような撮像対象を動画像として撮像装置で撮像しつつ、撮像対象の一部、例えば競技者の１人を拡大画像として撮像装置の表示部で確認するような使い方ができなかった。
【０００５】
また、撮像対象の画像の一部を拡大表示させる場合、従来の撮像装置は、撮像対象の画像を撮像し、撮像終了後に、撮像した画像の一部を拡大表示するか、又は、撮像対象の撮像を中止して、撮像対象の画像の一部に係る撮像対象、即ち撮像対象の一部を新たな撮像対象として撮像装置の撮像視野に捉え直す必要があった。このため、従来の撮像装置は、撮像対象の画像の一部を拡大表示させる場合、撮像対象を撮像装置の撮像視野に捉え続けることができず、この結果、撮像対象に対応する画像データを記憶部に記憶させ続けることができなかった。
【０００６】
本発明は斯かる事情に鑑みてなされたものであり、表示部に表示されている画像の一部をユーザが選択した場合、選択された一部を含む所定の画像範囲を拡大した拡大画像に係る拡大画像データを、撮像対象を撮像して作成した画像データを用いて作成し、作成した拡大画像データに係る拡大画像を表示部に表示する構成とすることにより、撮像対象を撮像視野に捉えて撮像対象の画像の一部を表示部に拡大表示させることができる撮像装置を提供することを目的とする。
【０００７】
本発明の他の目的は、表示部に表示されている画像の一部をユーザが選択した場合、選択された一部に係る撮像対象に対して撮像部の焦点を合わせた画像データを作成する構成とすることにより、ユーザが選択した撮像対象の一部に焦点を合わせて撮像対象を撮像視野に捉えて撮像対象の画像の一部を表示部に拡大表示させることができる撮像装置を提供することにある。
【０００８】
本発明の他の目的は、表示部に表示されている画像の一部をユーザが選択した場合、選択された一部に係る撮像対象に対して撮像部の絞りを調整した画像データを作成する構成とすることにより、ユーザが選択した撮像対象の一部の明るさに応じて絞りを調整して撮像対象を撮像視野に捉えて撮像対象の画像の一部を表示部に拡大表示させることができる撮像装置を提供することにある。
【０００９】
本発明の他の目的は、表示部に表示されている画像の一部をユーザが選択した場合、選択された一部に対してホワイトバランスを調整した画像データを作成する構成とすることにより、ユーザが選択した撮像対象の一部の色合いに応じてホワイトバランスを調整して撮像対象の画像の一部を表示部に拡大表示させることができる撮像装置を提供することにある。
【００１０】
本発明の他の目的は、表示部に表示されている画像の一部をユーザが選択した場合でも、撮像対象を撮像して作成した画像データを記憶部に記憶させる構成とすることにより、撮像対象の画像の一部を表示部に拡大表示させる場合でも、撮像対象を撮像視野に捉えて撮像対象に対応する画像データを記憶部に記憶させることができる撮像装置を提供することにある。
【００１１】
本発明の他の目的は、拡大画像データに係る拡大画像を表示部に表示させる場合、拡大画像を表示中であることを報知する構成とすることにより、ユーザに対して、表示部に撮像対象の画像を表示しているか撮像対象の画像の一部を拡大表示しているかを報知することができる撮像装置を提供することにある。
【００１２】
本発明の更に他の目的は、画像範囲の画素数を受け付け、受け付けた画素数の画像範囲を拡大した拡大画像データを作成する構成とすることにより、ユーザが所望する範囲の画像を拡大表示することができる撮像装置を提供することにある。
【課題を解決するための手段】
【００１３】
本発明に係る撮像装置は、撮像対象を撮像して画像データを作成する撮像手段と、該撮像手段が作成した画像データに係る画像を表示する表示手段とを備える撮像装置において、前記表示手段に表示されている画像の一部の選択を受け付ける選択受付手段と、該選択受付手段が前記選択を受け付けた場合、選択された一部を含む画像範囲を特定する特定手段と、該特定手段が特定した画像範囲を前記表示手段の表示サイズ以下のサイズに拡大した拡大画像に係る拡大画像データを作成する拡大手段とを備え、前記表示手段は、前記拡大手段が作成した拡大画像データに係る拡大画像を表示するようにしてあることを特徴とする。
【００１４】
本発明に係る撮像装置は、前記選択受付手段が前記選択を受け付けた場合、選択された一部に係る撮像対象に対して前記撮像手段の焦点を合わせる焦点合致手段を備え、該焦点合致手段が合わせた焦点で前記撮像手段が前記撮像対象を撮像して画像データを作成するようにしてあることを特徴とする。
【００１５】
本発明に係る撮像装置は、前記選択受付手段が前記選択を受け付けた場合、選択された一部に係る撮像対象に対して前記撮像手段の絞りを調整する絞り調整手段を備え、該絞り調整手段が調整した絞りで前記撮像手段が前記撮像対象を撮像して画像データを作成するようにしてあることを特徴とする。
【００１６】
本発明に係る撮像装置は、前記選択受付手段が前記選択を受け付けた場合、選択された一部に対してホワイトバランスを調整するホワイトバランス調整手段を備え、該ホワイトバランス調整手段が調整したホワイトバランスで前記撮像手段が画像データを作成するようにしてあることを特徴とする。
【００１７】
本発明に係る撮像装置は、前記表示手段が前記拡大画像を表示する場合に、前記撮像手段が作成した画像データを記憶する記憶手段を備えることを特徴とする。
【００１８】
本発明に係る撮像装置は、前記表示手段が前記拡大画像を表示する場合に、拡大画像を表示中であることを報知する報知手段を備えることを特徴とする。
【００１９】
本発明に係る撮像装置は、前記画像の表示サイズはＭ×Ｎ（Ｍ，ＮはＭ又はＮが２以上の自然数）の画素数を有し、画素数ｍ及びｎ（ｍ，ｎはｍ≦Ｍかつｎ＜Ｎ又はｍ＜Ｍかつｎ≦Ｎの自然数）を受け付ける画素数受付手段を備え、該画素数受付手段が画素数ｍ及びｎを受け付けた場合、前記特定手段は、前記画像範囲としてｍ×ｎの画像範囲を用いるようにしてあることを特徴とする。
【００２０】
本発明にあっては、撮像手段が、撮像対象を撮像して撮像対象に対応する画像データを作成し、表示手段が、撮像手段が作成した画像データに係る画像を表示する。また、選択受付手段が、表示手段に表示されている画像の一部の選択を受け付け、この選択を受け付けた場合、特定手段が、選択された一部を含む画像範囲を特定する。更に、拡大手段が、特定手段が特定した画像範囲を表示手段の表示サイズ以下のサイズに拡大した拡大画像に係る拡大画像データを、撮像手段が作成した画像データを用いて作成する。
【００２１】
つまり、本発明の撮像装置においては、撮像手段が作成した撮像対象に対応する画像データ（以下、原画像データという）と、原画像データに係る画像（以下、原画像という）の一部を含む画像範囲を拡大した拡大画像に係る拡大画像データとが作成される。選択受付手段が原画像の一部の選択を受け付けた場合、表示手段は、拡大手段が作成した拡大画像データに係る拡大画像を表示する。
【００２２】
本発明にあっては、選択受付手段が、表示手段に表示されている原画像の一部の選択を受け付けた場合、焦点合致手段が、選択された一部に係る撮像対象に対して撮像手段の焦点を合わせ、撮像手段が、焦点合致手段が合わせた焦点で撮像対象を撮像して原画像データを作成する。
【００２３】
本発明にあっては、選択受付手段が、表示手段に表示されている原画像の一部の選択を受け付けた場合、絞り調整手段が、選択された一部に係る撮像対象に対して撮像手段の絞りを調整し、撮像手段が、絞り調整手段が調整した絞りで撮像対象を撮像して原画像データを作成する。
【００２４】
本発明にあっては、選択受付手段が、表示手段に表示されている原画像の一部の選択を受け付けた場合、ホワイトバランス調整手段が、選択された一部に対してホワイトバランスを調整し、撮像手段が、ホワイトバランス調整手段が調整したホワイトバランスで原画像データを作成する。
【００２５】
本発明にあっては、選択受付手段が、表示手段に表示されている原画像の一部の選択を受け付けた場合、表示手段が拡大画像を表示するとき、記憶手段が、撮像手段が作成した原画像データを記憶する。
【００２６】
本発明にあっては、選択受付手段が、表示手段に表示されている原画像の一部の選択を受け付けた場合、表示手段が拡大画像を表示するとき、報知手段が、拡大画像を表示中であることを報知する。
【００２７】
本発明にあっては、原画像が画素数Ｍ×Ｎの表示サイズを有する。画素数受付手段は、画素数ｍ及びｎを受け付け、画素数受付手段が画素数ｍ及びｎを受け付けた場合、選択受付手段が、表示手段に表示されている原画像の一部の選択を受け付けたとき、特定手段は、選択された一部を含むｍ×ｎの画像範囲を特定する。更に、拡大手段が、特定手段が特定した画像範囲を表示手段の表示サイズ以下のサイズに拡大した拡大画像に係る拡大画像データを、撮像手段が作成した原画像データを用いて作成する。
【発明の効果】
【００２８】
本発明の撮像装置によれば、原画像の一部が選択されていない場合、原画像に係る原画像データ、即ち撮像対象の画像に対応する原画像データが作成され、表示手段は撮像対象の画像である原画像を表示することができる。一方、原画像の一部が選択された場合、撮像対象の画像に対応する原画像データと、原画像の一部を拡大した拡大画像に係る拡大画像データ、即ち撮像対象の一部の画像に対応する拡大画像データとが作成され、表示手段は撮像対象の画像の一部を拡大した拡大画像を表示することができる。
【００２９】
この結果、本発明の撮像装置は、撮像対象を撮像装置の撮像視野に捉えている場合、撮像対象の画像を表示部に表示させ、また、撮像対象の画像の一部を選択したとき該一部を拡大表示させることができる。つまり、撮像装置のユーザには、例えば陸上競技場のような撮像対象を動画像として撮像装置で撮像しつつ、撮像対象の一部、例えば競技者の１人を拡大画像として撮像装置の表示部で確認するような使い方ができる。また、拡大画像を表示させる場合に、撮像対象の撮像を終了又は中止する必要がない。このため、撮像装置は、撮像対象の画像の一部を表示手段に拡大表示させる場合、即ち拡大画像を表示手段に表示させる場合でも、撮像対象を撮像装置の撮像視野に捉え続けることができる。
【００３０】
このような撮像装置は、ユーザの要望に応じて撮像対象の撮像を継続しつつ、表示手段に原画像を表示させ、又は拡大画像を表示させることができる。このため、撮像装置はユーザの利便性を向上させることができる。
【００３１】
本発明の撮像装置によれば、原画像の一部が選択された場合、選択された一部に係る撮像対象に対して焦点を合わせた原画像データが作成される。このため、ユーザが所望する撮像対象の一部に焦点があった原画像を撮像することができる。また、このとき作成された原画像データを用いて拡大画像データを作成することができ、このため、焦点が合った拡大画像を表示手段に表示することができる。以上の結果、撮像装置はユーザの利便性を向上させることができる。
【００３２】
本発明の撮像装置によれば、原画像の一部が選択された場合、選択された一部に係る撮像対象に対して絞りを調整した原画像データが作成される。このため、ユーザが所望する撮像対象の一部の明るさに応じて絞りを調整した原画像を撮像することができる。また、このとき作成された原画像データを用いて拡大画像データを作成することができ、このため、絞りが調整された拡大画像を表示手段に表示することができる。以上の結果、撮像装置はユーザの利便性を向上させることができる。
【００３３】
本発明の撮像装置によれば、原画像の一部が選択された場合、選択された一部に対してホワイトバランスを調整した原画像データが作成される。このため、ユーザが所望する撮像対象の一部の色合いに応じてホワイトバランスを調整した原画像を撮像することができる。また、このとき作成された原画像データを用いて拡大画像データを作成することができ、このため、ホワイトバランスが調整された拡大画像を表示手段に表示することができる。以上の結果、撮像装置はユーザの利便性を向上させることができる。
【００３４】
本発明の撮像装置によれば、原画像の一部が選択された場合、表示手段が拡大画像を表示するとき、拡大画像データではなく原画像データを記憶することができる。つまり、撮像装置は、撮像対象の画像の一部を表示手段に拡大表示させる場合、即ち拡大画像を表示手段に表示させる場合でも、撮像対象を撮像装置の撮像視野に捉え続けることができ、この結果、撮像対象に対応する画像データを記憶手段に記憶させ続けることができる。
【００３５】
また、拡大画像データが必要な場合、例えば撮像終了後に、記憶手段が記憶した原画像データを用いて拡大画像データを作成することができる。このため、例えば原画像データと拡大画像データとを同時的に記憶する場合よりも記憶手段の記憶容量を低減することができ、また、撮像中の撮像装置のデータ記憶処理を簡易にすることができる。
【００３６】
本発明の撮像装置によれば、原画像の一部が選択された場合、表示手段が拡大画像を表示するとき、ユーザに対して、表示手段に原画像を表示しているか拡大画像を表示しているかを報知することができる。このため、ユーザは表示手段に表示されている画像の種類を容易に把握することができ、撮像装置はユーザの利便性を向上させることができる。
【００３７】
本発明の撮像装置によれば、画素数受付手段が画素数ｍ及びｎを受け付ける。この場合、画素数ｍ及びｎとして数値を受け付ける構成でも良く、画素数ｍ及びｎの組み合わせに係る選択肢を提示して選択肢の選択を受け付けることによって、受け付けた選択肢に係る画素数ｍ及びｎを受け付ける構成でも良い。また、矩形を構成すべき複数の点若しくは直線、又は矩形の対角線となるべき１本の直線を受け付け、受け付けた矩形の一辺及び該一辺に連続する他辺夫々の画素数ｍ及びｎを求めることによって画素数ｍ及びｎを受け付ける構成でも良い。
【００３８】
この場合、表示手段は、原画像におけるｍ×ｎの画像範囲を拡大した拡大画像を表示することができる。つまり、ユーザが所望するサイズの画像範囲を拡大して表示することができ、ユーザの利便性を向上させることができる等、本発明は優れた効果を奏する。
【発明を実施するための最良の形態】
【００３９】
以下、本発明を、その実施の形態を示す図面に基づいて詳述する。
【００４０】
図１は、本発明に係る撮像装置１の構成を示すブロック図である。撮像装置１は動画像を撮像して表示及び記録するデジタルビデオカメラであり、ＣＰＵ１０、ＲＯＭ１１、ＲＡＭ１２、操作部１３、表示部１４、撮像部１５、画像処理部１６、及び記録部１７を備える。ＣＰＵ１０は撮像装置１の制御中枢であり、バス又は信号線を介してＲＯＭ１１、ＲＡＭ１２等の夫々に接続されている。ＣＰＵ１０はＲＯＭ１１に記憶された制御プログラム及びデータに従って各部を制御し、ＲＡＭ１２を作業領域として用いて各種処理を実行する。この場合、ＣＰＵ１０は各部を作動させる作動指示及びデータを各部へ送出し、各部は受け付けた作動指示及びデータに従って作動する。
【００４１】
撮像装置１は外部の光を透過するレンズを備え、撮像部１５はＣＣＤ、ＣＣＤへ入射する光の量を調節するための絞り機構（以下、アイリスという）、及びレンズを移動させてＣＣＤとレンズとの間の距離を変更することによって光学的に焦点を合わせる光学ズーム機構（各不図示）を備える。撮像対象からの光は、レンズを透過し、アイリスを通過して、ＣＣＤへ入射する。撮像部１５のＣＣＤは入射光に応じた電気信号を画像処理部１６へ出力する。
【００４２】
画像処理部１６は信号処理部１６１と拡大処理部１６２とを備える。信号処理部１６１は、撮像部１５のＣＣＤが出力した電気信号を受け付け、図示しないバッファメモリを作業領域として用いて所定の信号処理を行なうことによって、動画像の原画像データを作成する。また、信号処理部１６１は、原画像データを用いて、原画像を構成している画素の内、ＣＰＵ１０が指定した画素の輝度（明るさ）及び色度（色合い）を検出してＣＰＵ１０へ送出する。拡大処理部１６２は、図示しないバッファメモリを作業領域とし、信号処理部１６１が作成した原画像データを用いて、原画像データに係る原画像の一部を拡大した拡大画像に係る拡大画像データを作成するデジタルズーム機能を有する。
【００４３】
ＣＰＵ１０は、信号処理部１６１に原画像データを作成させ、拡大処理部１６２を作動させない。この場合、ＣＰＵ１０は、原画像データを表示部１４に入力させ、画像の記録を行なう場合は原画像データを記録部１７に入力させる。また、ＣＰＵ１０は、信号処理部１６１に原画像データを、拡大処理部１６２に拡大画像データを、夫々作成させる。この場合、ＣＰＵ１０は、拡大画像データを表示部１４に入力させ、画像の記録を行なう場合は原画像データを記録部１７に入力させる。なお、原画像データ及び拡大画像データを両方とも記録部１７に入力させて記録させることも可能なように構成しても良く、拡大画像データのみを記録部１７に入力させて記録させることも可能なように構成しても良い。
【００４４】
表示部１４は液晶表示パネルを備える。また、操作部１３は、表示部１４の液晶表示パネルに積層してあるタッチパネル１３０と、複数のハードキー１３１，１３２，…とを備える。タッチパネル１３０はユーザの指に触れられたこと、即ちユーザによって操作されたことと、操作された位置の仮想的な座標とを検出し、操作部１３は、タッチパネル１３０が検出した座標を示す座標信号をＣＰＵ１０へ送出する。ここで、タッチパネル１３０の各座標は、表示部１４に表示されている画像の各画素に対応する。また、座標信号は、ユーザの指がタッチパネル１３０に触れた範囲に含まれる複数点の座標を示す信号である。なお、座標信号は、ユーザの指がタッチパネル１３０に触れた範囲に含まれる１点の座標を示す信号でも良い。
【００４５】
ＣＰＵ１０は、操作部１３のタッチパネル１３０の所定の座標に各種のソフトキーを設ける。ＲＯＭ１１には、所定の座標を示す座標信号とＣＰＵ１０に対する作動命令とが関連付けて記憶されており、ＣＰＵ１０は、ソフトキーが操作されたとき、即ちソフトキーを設けている場合に操作部１３からの所定の座標を示す座標信号を受け付けたときに、受け付けた座標信号に対応する作動命令をＲＯＭ１１から読み出して、読み出した作動命令に従って作動し、各部を制御する。
【００４６】
操作部１３のハードキー１３１，１３２，…は、撮像キー１３１、記録キー１３２、ＯＫキー１３３、キャンセルキー１３４等であり、夫々が操作された場合に、撮像信号、記録信号、ＯＫ信号、キャンセル信号等の互いに異なる操作信号をＣＰＵ１０へ送出する。ＲＯＭ１１には、操作部１３からＣＰＵ１０へ送出される各種操作信号と、ＣＰＵ１０に対する作動命令とが関連付けて記憶されている。ＣＰＵ１０は、操作信号を受け付けた場合に、操作部１３が操作されたことを検出し、受け付けた操作信号に対応する作動命令をＲＯＭ１１から読み出して、読み出した作動命令に従って作動し、各部を制御する。なお、ハードキー１３１，１３２，…は、ソフトキーとしてタッチパネル１３０に設ける構成でも良い。
【００４７】
表示部１４には、撮像装置１が撮像中の原画像、撮像中の原画像の一部を拡大した拡大画像、撮像し終えた原画像、撮像装置１の作動状況、ユーザに対する操作指示等が表示され、ユーザは表示部１４を視認しながら操作部１３を操作することによって撮像装置１に各種の作動命令を与える。与えられた作動命令は、少なくともＣＰＵ１０が与えられた作動命令に従って作動するまで、ＲＡＭ１２に記憶される。
【００４８】
記録部１７は可搬性を有する記録媒体を収容し、入力された原画像データを、収容している記録媒体に記録する。また、記録部１７は、収容している記録媒体の空き容量を検出して検出結果に応じた信号をＣＰＵ１０へ送出する。ＣＰＵ１０は、記録媒体の空き容量が所定量以下である場合、記録部１７に原画像データの記録を行なわせないか、記録部１７が行なっている原画像データの記録を終了させるが、以下では、ユーザの作動命令に従って記録の開始／終了を制御する場合を説明する。なお、記録部１７は内蔵のＨＤＤでも良い。
【００４９】
表示部１４は、信号処理部１６１から出力された原画像データ又は記録部１７から読み出された原画像データを入力された場合、図示しないバッファメモリを作業領域として、入力された原画像データに係る原画像を表示する。また、表示部１４は、拡大処理部１６２から出力された拡大画像データを入力された場合、入力された拡大画像データに係る拡大画像を表示する。
【００５０】
ＣＰＵ１０は、表示部１４に原画像を表示させる場合、表示部１４に表示されている原画像の一部の選択を受け付けるために、操作部１３からの座標信号の内、原画像が表示されている範囲以内の座標を示す座標信号を受け付ける。また、座標信号を受け付けた場合、ＣＰＵ１０は、拡大表示すべき画像範囲を受け付けるために、操作部１３からの座標信号を更に受け付ける。なお、画像範囲のサイズｍ×ｎは原画像２の一部２１のサイズより小さくても良い。この場合、例えば原画像２の一部２１の中心点を含むｍ×ｎの矩形が画像範囲として用いられる。
【００５１】
図２は、表示部１４に表示される画面の一例を示す模式図である。ここでは、撮像者（撮像装置１のユーザ）から見て手前側の右手に、道を歩く人物が存在し、手前側の左手に、人物から比較的離隔して犬が存在し、人物及び犬の奥側に田畑が存在し、最奥側に遠景として山岳が存在する場合を例示している。この場合、撮像対象は、人物、犬、田畑及び山岳である。
【００５２】
図２（ａ）は、撮像対象を撮像した原画像２が表示部１４の画素数Ｍ×Ｎ（Ｍ，ＮはＭ又はＮが２以上の自然数）の表示画面全体に表示されている場合を示している。即ち、本実施の形態における原画像の表示サイズはＭ×Ｎの画素数を有する。このとき、表示部１４には信号処理部１６１から出力された原画像データが入力されている。
【００５３】
ユーザは、撮像対象を動画像として撮像装置で撮像しつつ、撮像対象の一部である人物の頭部を拡大画像として表示部１４で確認したいとき、人物の頭部の画像に対応する位置の画面、即ち操作部１３のタッチパネル１３０に指を触れることによって、表示部１４に表示されている原画像２の一部２１を選択する。
【００５４】
原画像２の一部２１が選択された後で、更に操作部１３のタッチパネル１３０が操作されず、ＯＫキー１３３が操作されたとき、選択された原画像２の一部２１を含み原画像２の表示サイズ（本実施の形態では表示部１４の表示画面全体のサイズＭ×Ｎ）より小さいｍ×ｎ（ｍ，ｎはｍ≦Ｍかつｎ＜Ｎ又はｍ＜Ｍかつｎ≦Ｎの自然数）の画素数を有する矩形の画像範囲２２が特定される。図２では、画像範囲２２の縦横比が表示部１４の表示画面全体の縦横比に等しい場合を例示する。なお、原画像２の一部２１が選択された後でＯＫキー１３３が操作されたときだけでなく、例えば原画像２の一部２１が選択されてから所定の時間が経過したときに、画像範囲２２が特定される構成でも良い。
【００５５】
なお、画像範囲２２のサイズ、即ち矩形の画像範囲２２の一辺及び該一辺に直交する他辺夫々の画素数ｍ，ｎは、デフォルトとしてＲＯＭ１１に記憶してある画素数でも良く、予め操作部１３を介してユーザによる画素数の指定を受け付けＲＡＭ１２に記憶させた画像数でも良いが、ｍ×ｎのサイズは原画像の表示サイズＭ×Ｎより小さい必要がある。
【００５６】
図２（ｂ）は、選択された原画像２の一部２１を含む画像範囲２２を拡大した拡大画像２２０が表示部１４の表示画面全体に表示されている場合を示している。拡大画像２２０には、原画像２の表示中に選択された原画像２の一部２１に対応する画像２１０が含まれている。
【００５７】
拡大画像２２０が表示部１４に表示されている場合、表示部１４には、拡大画像を表示中であることを報知する報知情報２２１が拡大画像２２０に重なるようにして同時的に表示される。このとき、表示部１４には、拡大処理部１６２から出力された拡大画像データが入力されているが、この拡大画像データには、報知情報２２１のデータも含まれている。報知情報２２１のデータは、ＲＯＭ１１に記憶されている。
【００５８】
図３は、表示部１４に表示される画面の他の例を示す模式図であり、撮像対象は、図２に示す例と同様に、人物、犬、田畑及び山岳である。
【００５９】
図３（ａ）は、撮像対象を撮像した原画像３が表示部１４の表示画面全体に表示されている場合を示している。以下では、人物の頭部の画像に対応する位置の画面にユーザが指を触れることによって表示部１４に表示されている原画像３の一部３１が選択された後で更に操作部１３のタッチパネル１３０が操作された場合について説明する。
【００６０】
原画像３の一部３１を選択した後、ユーザは、操作部１３のタッチパネル１３０の一部（図３（ａ）に示す△印の一方に対応する範囲）に指を触れ、一部から他部（図３（ａ）に示す△印の他方に対応する範囲）へ指を動かすことによって、選択された原画像３の一部３１を含む矩形の対角線をタッチパネル１３０上に描く。この場合、表示部１４に、描かれた対角線を有する矩形の画像を原画像３に重ねるようにして同時的に表示することが好ましい。ただし、選択した原画像３の一部３１を含む矩形のサイズｍ×ｎは、原画像３の表示サイズ（本実施の形態では表示部１４の表示画面全体のサイズＭ×Ｎ）より小さい必要がある。
【００６１】
なお、矩形の対角線を描くのではなく、矩形の２辺〜４辺を描くか、３点又は４点を指定する等でも良い。また、原画像３の一部３１を含まない矩形、又は原画像３の一部３１より小さい矩形でも良い。
【００６２】
操作部１３は、ユーザによる対角線の描画が実行されている間、操作されている部分の座標信号をＣＰＵ１０へ連続的に送出し続け、ＣＰＵ１０は、受け付けた一連の座標信号の内、最初に受け付けた座標信号、即ちユーザによる対角線の描画が開始された位置の座標信号と、最後に受け付けた座標信号、即ち対角線の描画が終了した位置の座標信号とを用いて、選択された原画像３の一部３１を含むｍ×ｎの画像範囲３２を特定する。図３では、画像範囲３２の縦横比が表示部１４の表示画面全体の縦横比とは異なり、画像範囲３２が表示部１４の表示画面全体に比べて縦に細長い場合を例示する。
【００６３】
図３（ｂ）は、選択された原画像３の一部３１を含む画像範囲３２を拡大した拡大画像３２０が表示部１４の一部に表示されている場合を示している。拡大画像３２０には、原画像３の表示中に選択された原画像３の一部３１に対応する画像３１０が含まれている。拡大画像３２０は、縦方向の画素数が表示部１４の表示画面全体における縦方向の画素数に等しく、横方向の画素数が、表示部１４の表示画面全体における横方向の画素数より小さい。
【００６４】
拡大画像３２０が表示部１４に表示されている場合にも、表示部１４には、拡大画像を表示中であることを報知する報知情報３２１が拡大画像３２０と同時的に表示される。
【００６５】
なお、ユーザが操作部１３を介して、原画像３の一部３１を含まない矩形を撮像装置１に与えた場合、受け付けた矩形のサイズｍ×ｎと同一のサイズであり原画像３の一部３１を含む矩形が画像範囲として用いられる。
【００６６】
撮像装置１を用いて撮像を行なう場合、ユーザは、撮像装置１の電源をオン状態にし、撮像装置１のレンズを撮像対象に向けて、操作部１３の撮像キー１３１を操作することによって撮像を開始する。撮像キー１３１が操作された場合、操作部１３はＣＰＵ１０へ撮像信号を送出する。
【００６７】
また、ユーザは、表示部１４に表示された原画像を視認して、原画像の表示を継続させるか、原画像の一部を拡大した拡大画像に切り替えるかを判断し、拡大画像に切り替える場合は操作部１３のタッチパネル１３０を操作する。更にユーザは、表示部１４に表示された拡大画像を視認して、拡大画像の表示を継続するか、拡大画像の表示をキャンセルして原画像の表示に戻すかを判断し、原画像に戻す場合は操作部１３のキャンセルキー１３４を操作する。キャンセルキー１３４が操作された場合、操作部１３はＣＰＵ１０へキャンセル信号を送出する。
【００６８】
更に、ユーザは、表示部１４に表示された原画像又は拡大画像を視認して、撮像装置１で撮像した原画像を記録するか否かを判断し、記録する場合は操作部１３の記録キー１３２を操作する。更にまた、原画像の記録中に、ユーザは原画像の記録を継続するか否かを判断し、記録を終了する場合は操作部１３の記録キー１３２を再び操作する。
【００６９】
また、ユーザは操作部１３の撮像キー１３１を再び操作することによって撮像を終了する。
【００７０】
図４は、ＣＰＵ１０が実行する撮像処理の手順を示すフローチャートである。
【００７１】
ＣＰＵ１０は、操作部１３からの撮像信号を受け付けたか否かを判定し（Ｓ１１）、受け付けていない場合（Ｓ１１でＮＯ）、受け付けるまで待機する。操作部１３からの撮像信号を受け付けた場合（Ｓ１１でＹＥＳ）、ＣＰＵ１０は、撮像部１５へ撮像指示を送出する（Ｓ１２）ことによって、撮像部１５を制御して撮像を開始させ、ＣＣＤへの入射光に応じた電気信号を画像処理部１６へ出力させる。また、ＣＰＵ１０は、画像処理部１６の信号処理部１６１へ原画像データ作成指示を送出する（Ｓ１３）ことによって、信号処理部１６１を制御して原画像データを作成させる。
【００７２】
次にＣＰＵ１０は、信号処理部１６１へ、原画像データの表示部１４への出力指示を送出し（Ｓ１４）、表示部１４へ原画像表示指示を送出する（Ｓ１５）ことによって、信号処理部１６１を制御して表示部１４へ原画像データを出力させ、表示部１４を制御して、表示部１４に入力された原画像データに係る原画像を表示させる。
【００７３】
更にＣＰＵ１０は、表示部１４に拡大画像を表示していることを示す拡大画像表示中フラグＦＤ、及び記録部１７にて原画像データを記録中であることを示す原画像記録中フラグＦＲを“０”にリセットする（Ｓ１６）。フラグＦＤ，ＦＲが立っている場合、つまりフラグＦＤ，ＦＲ＝１である場合、表示部１４は拡大画像を表示しており、記録部１７は原画像データを記録している。また、フラグＦＤ，ＦＲが立っていない場合、つまりフラグＦＤ，ＦＲ＝０である場合、表示部１４は拡大画像を表示しておらず（原画像を表示しており）、記録部１７は原画像データを記録していない。
【００７４】
ＣＰＵ１０は、操作部１３からの記録信号を受け付けたか否かを判定し（Ｓ１７）、受け付けた場合（Ｓ１７でＹＥＳ）、即ちユーザによって操作部１３の記録キー１３２が操作された場合、記録処理を行なうサブルーチン（図５参照）を呼び出し、実行する（Ｓ１８）。Ｓ１８の処理完了後、又は操作部１３からの記録信号を受け付けていない場合（Ｓ１７でＮＯ）、ＣＰＵ１０は、拡大画像表示中フラグＦＤ＝０であるか否かを判定し（Ｓ１９）、ＦＤ＝０である場合は（Ｓ１９でＹＥＳ）、操作部１３からの座標信号を受け付けたか否かを判定し（Ｓ２０）、ＦＤ＝１である場合は（Ｓ１９でＮＯ）、操作部１３からのキャンセル信号を受け付けたか否かを判定する（Ｓ２１）。
【００７５】
操作部１３からの座標信号を受け付けた場合（Ｓ２０でＹＥＳ）、又は操作部１３からのキャンセル信号を受け付けた場合（Ｓ２１でＹＥＳ）、ＣＰＵ１０は、表示処理を行なうサブルーチン（図６及び図７参照）を呼び出し、実行する（Ｓ２２）。Ｓ２２の処理完了後か、操作部１３からの座標信号を受け付けていない場合（Ｓ２０でＮＯ）か、又は、操作部１３からのキャンセル信号を受け付けていない場合（Ｓ２１でＮＯ）、ＣＰＵ１０は、操作部１３からの撮像信号を再び受け付けたか否かを判定する（Ｓ２３）。撮像信号を受け付けていない場合（Ｓ２３でＮＯ）、ＣＰＵ１０は処理をＳ１７へ戻して、撮像信号を受け付けるまで撮像を継続する。
【００７６】
操作部１３からの撮像信号を再び受け付けた場合（Ｓ２３でＹＥＳ）、ＣＰＵ１０は撮像を終了すると判定し、各部へ作動終了指示を送出して、撮像処理を一旦終了し、処理をＳ１１へ戻して、撮像信号を受け付けるまで、即ちユーザによって撮像キー１３１が操作されるまで待機する。撮像処理が終了してＣＰＵ１０が待機中である場合、撮像部１５における電気信号の出力、並びに信号処理部１６における原画像データの作成及び出力は行なわれない。このため、表示部１４における原画像又は拡大画像の表示、拡大処理部１６２における拡大画像データの作成及び出力、記録部１７における原画像データの記録等も行なわれない。
【００７７】
図５は、ＣＰＵ１０が実行する記録処理手順のサブルーチンを示すフローチャートである。ＣＰＵ１０は、原画像記録中フラグＦＲ＝０であるか否かを判定する（Ｓ３１）。ＦＲ＝０である場合（Ｓ３１でＹＥＳ）、即ち原画像の記録を行なっていない場合、Ｓ１７にて記録信号を受け付けたＣＰＵ１０は、信号処理部１６１へ、原画像データの記録部１７への出力指示を送出し（Ｓ３２）、記録部１７へ原画像データ記録指示を送出する（Ｓ３３）ことによって、信号処理部１６１を制御して記録部１７へ原画像データを出力させ、記録部１７を制御して、入力された原画像データを記録させる。更に、ＣＰＵ１０は、原画像記録中フラグＦＲに“１”をセットしてから（Ｓ３４）、記録処理を終了して処理を撮像処理へ戻す。
【００７８】
ＦＲ＝１である場合（Ｓ３１でＮＯ）、即ち原画像の記録を行なっている場合、Ｓ１７にて記録信号を受け付けたＣＰＵ１０は、信号処理部１６１へ、原画像データの記録部１７への出力終了指示を送出し（Ｓ３５）、記録部１７へ原画像データ記録終了指示を送出する（Ｓ３６）ことによって、信号処理部１６１を制御して記録部１７への原画像データの出力を終了させ、記録部１７を制御して原画像データの記録を終了させる。更に、ＣＰＵ１０は、原画像記録中フラグＦＲを“０”にリセットし（Ｓ３７）、記録処理を終了して処理を撮像処理へ戻す。
【００７９】
図６及び図７は、ＣＰＵ１０が実行する表示処理手順のサブルーチンを示すフローチャートである。
【００８０】
ＣＰＵ１０は、拡大画像表示中フラグＦＤ＝０であるか否かを判定し（Ｓ５０）、ＦＤ＝０である場合（Ｓ５０でＹＥＳ）、即ち表示部１４における原画像の表示を行なっている場合、Ｓ２０にて操作部１３からの座標信号を受け付けたＣＰＵ１０は、更に座標信号を受け付けたか否かを判定する（Ｓ６１）。即ちＣＰＵ１０は、ユーザが原画像の一部の選択後、拡大すべき画像範囲に係る矩形の対角線をタッチパネル１３０に描画し、この対角線の描画に係る一連の座標信号を受け付けたか否かを判定する。
【００８１】
一連の座標信号を更に受け付けた場合（Ｓ６１でＹＥＳ）、ＣＰＵ１０は、Ｓ６１で受け付けた座標信号が示す座標に基づいて、画素数ｍ及びｎを算出する（Ｓ６２）。このとき、ＣＰＵ１０は、一連の座標信号の内、最初と最後とに受け付けた座標信号を用い、この最初と最後とに受け付けた座標信号が夫々示す複数点の座標の内、各１点の代表的な座標、例えば中心点の座標を算出し、算出した座標に基づいて、ユーザが描画した矩形のサイズｍ×ｎを算出する。
【００８２】
一連の座標信号を受け付けていない場合（Ｓ６１でＮＯ）、即ち、ユーザが原画像の一部を選択した後で、例えばＯＫキー１３３を操作し、ＯＫキー１３３が操作された操作部１３からのＯＫ信号をＣＰＵ１０が受け付けた場合、ＣＰＵ１０は、ＲＯＭ１１に記憶してあるデフォルトの画素数ｍ及びｎか、又はＲＡＭ１２に記憶してある予めユーザが設定した画素数ｍ及びｎを読み出す（Ｓ６３）。
【００８３】
次にＣＰＵ１０は、拡大表示すべき画像範囲を特定する（Ｓ６４）。Ｓ６１にて座標信号を受け付けている場合、ＣＰＵ１０は、Ｓ６２にて画素数ｍ，ｎを算出するために用いた代表的な座標に基づいて、ｍ×ｎの矩形の画像範囲の座標を算出し、算出した座標に対応する画素群の原画像データを特定する。
【００８４】
ただし、ここで算出した矩形の画像範囲内に、Ｓ２０にて受け付けた座標信号が示す座標含まれていない場合、ＣＰＵ１０はＳ６２にて算出した画素数ｍ，ｎに基づいて、Ｓ２０にて受け付けた座標信号が示す座標が含まれるｍ×ｎの矩形の画像範囲（例えば、ｍ×ｎの矩形範囲の中心点に、Ｓ２０にて受け付けた座標信号が示す座標の中心点が一致する矩形の画像範囲）の座標を算出し、算出した座標に対応する画素群の原画像データを特定する。
【００８５】
Ｓ６１にて座標信号を受け付けていない場合、ＣＰＵ１０はＳ６３にて読み出した画素数ｍ，ｎに基づいて、Ｓ２０にて受け付けた座標信号が示す座標が含まれるｍ×ｎの矩形の画像範囲の座標を算出し、算出した座標に対応する画素群の原画像データを特定する。
【００８６】
次にＣＰＵ１０は、信号処理部１６１へ、画像範囲に対応する原画像データの拡大処理部１６２への出力指示を送出し（Ｓ６５）、拡大処理部１６２へ拡大画像データ作成指示を送出することによって（Ｓ６６）、信号処理部１６１を制御してＳ６４にて特定した画像範囲に対応するｍ×ｎの画素群の原画像データを拡大処理部１６２へ出力させ、拡大処理部１６２を制御して拡大画像データを作成させる。なお、拡大画像データを作成する場合、画像範囲に対応するｍ×ｎの原画像データのみならず、ｍ×ｎの原画像データの近傍の原画像データも併用して良い。
【００８７】
また、ＣＰＵ１０はＲＯＭ１１から報知情報のデータを読み出し（Ｓ６７）、拡大処理部１６２を制御して、読み出したデータを拡大画像データの所定の位置に含ませる。更にＣＰＵ１０は、信号処理部１６１へ、原画像データの表示部１４への出力終了指示を送出し（Ｓ６８）、拡大処理部１６２へ、拡大画像データの表示部１４への出力指示を送出し（Ｓ６９）、表示部１４へ拡大画像及び報知情報表示指示を送出する（Ｓ７０）。以上のことによって、ＣＰＵ１０は、信号処理部１６１を制御して原画像データの表示部１４への出力を停止させ、拡大処理部１６２を制御して表示部１４へ報知情報のデータを含む拡大画像データを出力させ、表示部１４を制御して、原画像の代わりに、入力された拡大画像データに係る拡大画像及び報知情報を表示させる。
【００８８】
Ｓ７０の処理の完了後、ＣＰＵ１０は、拡大画像表示中フラグＦＤに“１”をセットしてから（Ｓ７１）、表示処理を終了して処理を撮像処理へ戻す。
【００８９】
ＦＤ＝１である場合（Ｓ５０でＮＯ）、即ち表示部１４における拡大画像の表示を行なっている場合、操作部１３からのキャンセル信号を受け付けたＣＰＵ１０は、信号処理部１６１へ、画像範囲に対応する原画像データの拡大処理部１６２への出力終了指示を送出し（Ｓ８１）、拡大処理部１６２へ、拡大画像データの作成終了指示を送出し（Ｓ８２）、信号処理部１６１へ、原画像データの表示部１４への出力指示を送出し（Ｓ８３）、表示部１４へ原画像表示指示を送出する（Ｓ８４）。
【００９０】
以上のことによって、ＣＰＵ１０は、信号処理部１６１を制御してＳ６４にて特定した画像範囲に対応するｍ×ｎの原画像データの拡大処理部１６２への出力を終了させ、拡大処理部１６２を制御して拡大画像データの作成及び表示部１４への出力を終了させ、信号処理部１６１を制御して表示部１４へ原画像データを出力させ、表示部１４を制御して、拡大画像及び報知情報の代わりに、入力された原画像データに係る原画像を表示させる。
【００９１】
Ｓ８４の処理の完了後、ＣＰＵ１０は、拡大画像表示中フラグＦＤを“０”にリセットし（Ｓ８５）、表示処理を終了して処理を撮像処理へ戻す。
【００９２】
つまり、撮像処理のＳ１３の処理完了後、Ｓ２３でＹＥＳになるまで、撮像部１５における電気信号の出力、及び信号処理部１６１における原画像データの作成が継続される。また、撮像処理のＳ２０にてＮＯの場合又はＳ２１にてＹＥＳの場合、表示部１４における原画像の表示が継続又は実行される。更に、撮像処理のＳ２０にてＹＥＳの場合又はＳ２１にてＮＯの場合、拡大処理部１６２における拡大画像データの作成、並びに表示部１４における拡大画像及び報知情報の表示が実行又は継続される。更にまた、記録処理のＳ３３の処理完了後、Ｓ３６の処理完了まで、表示部１４に原画像が表示されている場合も拡大画像が表示されている場合も、記録部１７における原画像データの記録が継続される。
【００９３】
さて、撮像装置１は、デフォルトでは、表示部１４に表示された原画像の例えば中点に係る撮像対象に対して焦点を合わせ、絞りを調整し、ホワイトバランスを調整する。図２（ａ）に示す原画像２の場合、デフォルトでは、原画像２の中央の田畑に対して焦点が合い、絞り及びホワイトバランスが調整されることになる。
【００９４】
以下では、原画像の選択された一部に係る撮像対象、即ちユーザによって選択された撮像対象の一部に対して焦点を合わせ、絞りを調整し、選択された一部に対してホワイトバランスを調整する場合について説明する。ユーザは操作部１３を操作して、撮像対象のユーザが選択した一部に対して焦点を合わせるＡＦ命令、撮像対象のユーザが選択した一部に対して絞りを調整するＡＥ命令、及び／又は撮像対象のユーザが選択した一部の画像に対してホワイトバランスを調整するＡＷＢ命令を撮像装置１に予め与えておく。
【００９５】
画像の一部に係る撮像対象に対して絞りを調整する具体的な処理は特許文献１に詳述されているため、ここでは要点のみ説明する。画像の一部に係る撮像対象に対して絞りを調整する場合、撮像装置１は、画像の一部に対応する画像データの輝度を信号処理部１６１に検出させ、検出された輝度（以下、検出輝度という）と所定の基準輝度とを比較し、検出輝度が所定の基準輝度と一致するときは、現行の絞りを保持する。一方、検出輝度が所定の基準輝度より大きいとき、撮像装置１は、信号処理部１６１に設定されている絞りに関するパラメタ（以下、ＡＧＣという）が所定の最小値より大きいか否かを判定し、ＡＧＣが最小値より大きい場合はＡＧＣを所定の値だけ減少させ、ＡＧＣが最小値である場合は撮像部１５のアイリスを閉じる。
【００９６】
更に、検出輝度が所定の基準輝度より小さいとき、撮像装置１は、アイリスが最大限に開いているか否かを判定し、アイリスが全開である場合はＡＧＣを所定の値だけ増加させ、アイリスが全開でない場合はアイリスを開く。アイリスを開閉するかＡＧＣを変更する都度、撮像装置１は、信号処理部１６１に画像の一部に対応する画像データの輝度を新たに検出させ、得られた検出輝度が所定の基準輝度と一致するまでアイリスの開閉させるかＡＧＣを変更する手順を繰り返す。
【００９７】
画像の一部に対してホワイトバランスを調整する場合、撮像装置１は、輝度の代わりに画像の一部に対応する画像データの色度を用いて、絞りを調整する場合と同様の手順で調整する。
【００９８】
また、画像の一部に係る撮像対象に対して焦点を合わせる場合、撮像装置１は、絞りを調整する場合と略同様の手順で行なうが、アイリスの開閉ではなくレンズの位置を変更する点が異なる。レンズの位置を変更するか焦点に関するパラメタを変更する都度、撮像装置１は、画像の一部に対応する画像データの輝度を新たに取得し、得られた輝度が極大値になるまでレンズの位置又はパラメタを変更する手順を繰り返す。ただし、輝度の極大値を求めるために、今回取得した輝度と比較すべき基準輝度として、前回取得した輝度が用いられる。なお、焦点を合わせる際に、レンズの位置及び焦点に関するパラメタの内、一方だけを変更する（光学ズーム及びデジタルズームの一方だけを行なう）構成でも良い。
【００９９】
図８及び図９は、ＣＰＵ１０が実行する画像調整処理手順のサブルーチンを示すフローチャートである。画像調整処理は、撮像処理のＳ２０でＹＥＳの場合、即ち原画像の一部の選択を受け付けた場合、撮像処理又は表示処理に適宜割り込んで実行される。
【０１００】
ＣＰＵ１０は、撮像対象のユーザが選択した一部に対して焦点を合わせるＡＦ命令がＲＡＭ１２に記憶してあるか否かを判定し（Ｓ９１）、ＡＦ命令が記憶してあると判定した場合（Ｓ９１でＹＥＳ）、Ｓ２０にて受け付けた座標に対応する画素群を特定し、特定した画素群の輝度を信号処理部１６１に検出させる輝度検出指示を信号処理部１６１へ送出する（Ｓ９２）。輝度検出指示を受け付けた信号処理部１６１は、ＣＰＵ１０が特定した画素群の輝度を検出して、検出した輝度（検出輝度）をＣＰＵ１０へ送出する。
【０１０１】
ＣＰＵ１０は、受け付けた検出輝度を焦点に関する基準輝度と比較することによって、検出輝度が極大値であるか否かを判定し（Ｓ９３）、検出輝度が極大値ではない場合（Ｓ９３でＮＯ）、撮像部１５又は信号処理部１６１へ、検出輝度に応じて、撮像部１５の光学ズーム機構を駆動しレンズの位置を変更させるか、信号処理部１６１に設定されている焦点に関する所要のパラメタを変更させる状態変更指示を送出する（Ｓ９４）。状態変更指示を受け付けた撮像部１５又は信号処理部１６１は、レンズの位置又はパラメタの変更を行なう。更にＣＰＵ１０は、Ｓ９３で検出輝度が極大値か否かを判定するための焦点に関する基準輝度を、Ｓ９２で検出された検出輝度に応じて変更し（Ｓ９５）、ＲＡＭ１２に記憶させて、処理をＳ９２へ戻す。
【０１０２】
検出輝度が極大値である場合（Ｓ９３でＹＥＳ）、又はＡＦ命令がＲＡＭ１２に記憶されていないと判定した場合（Ｓ９１でＮＯ）、ＣＰＵ１０は、撮像対象のユーザが選択した一部に対して絞りを調整するＡＥ命令がＲＡＭ１２に記憶してあるか否かを判定し（Ｓ９６）、ＡＥ命令が記憶してあると判定した場合（Ｓ９６でＹＥＳ）、Ｓ２０にて受け付けた座標に対応する画素群を特定し、特定した画素群の輝度を信号処理部１６１に検出させる輝度検出指示を信号処理部１６１へ送出する（Ｓ９７）。輝度検出指示を受け付けた信号処理部１６１は、ＣＰＵ１０が特定した画素群の輝度を検出して、検出輝度をＣＰＵ１０へ送出する。
【０１０３】
次に、ＣＰＵ１０は、受け付けた検出輝度を絞りに関する基準輝度と比較することによって、検出輝度が基準輝度に一致するか否かを判定し（Ｓ９８）、検出輝度と基準輝度とが一致しない場合（Ｓ９８でＮＯ）、撮像部１５又は信号処理部１６１へ、検出輝度に応じて、撮像部１５のアイリスの開閉を変更させるか、信号処理部１６１に設定されているＡＧＣを変更させる状態変更指示を送出する（Ｓ９９）。状態変更指示を受け付けた撮像部１５又は信号処理部１６１は、アイリスの開閉の度合又はＡＧＣの変更を行なう。更にＣＰＵ１０は、処理をＳ９７へ戻す。
【０１０４】
検出輝度が基準輝度に一致する場合（Ｓ９８でＹＥＳ）、又はＡＥ命令がＲＡＭ１２に記憶されていないと判定した場合（Ｓ９６でＮＯ）、ＣＰＵ１０は、撮像対象のユーザが選択した一部の画像に対してホワイトバランスを調整するＡＷＢ命令がＲＡＭ１２に記憶してあるか否かを判定し（Ｓ１０１）、ＡＷＢ命令が記憶してあると判定した場合（Ｓ１０１でＹＥＳ）、Ｓ２０にて受け付けた座標に対応する画素群を特定し、特定した画素群の色度を信号処理部１６１に検出させる色度検出指示を信号処理部１６１へ送出する（Ｓ１０２）。色度検出指示を受け付けた信号処理部１６１は、ＣＰＵ１０が特定した画素群の色度を検出して、検出した色度（検出色度）をＣＰＵ１０へ送出する。
【０１０５】
次に、ＣＰＵ１０は、受け付けた検出色度をホワイトバランスに関する基準色度と比較することによって、検出色度が基準色度に一致するか否かを判定し（Ｓ１０３）、検出色度と基準色度とが一致しない場合（Ｓ１０３でＮＯ）、撮像部１５又は信号処理部１６１へ、検出色度に応じて、撮像部１５のアイリスの開閉を変更させるか、信号処理部１６１に設定されているホワイトバランスに関する所定のパラメタを変更させる状態変更指示を送出する（Ｓ１０４）。状態変更指示を受け付けた撮像部１５又は信号処理部１６１は、アイリスの開閉の度合又はパラメタの変更を行なう。更にＣＰＵ１０は、処理をＳ１０２へ戻す。
【０１０６】
検出色度が基準色度に一致する場合（Ｓ１０３でＹＥＳ）、又はＡＷＢ命令がＲＡＭ１２に記憶されていないと判定した場合（Ｓ１０１でＮＯ）、ＣＰＵ１０は、画像調整処理を終了する。
【０１０７】
このようにして、焦点、絞り、ホワイトバランスが変更された場合、変更された焦点、絞り、ホワイトバランスは、変更後に信号処理部１６１が作成する原画像データに常に影響する。このため、変更された焦点、絞り、ホワイトバランスの影響は、記録部１７に記録される原画像データ及び拡大処理部１６２が作成する拡大画像データにも及んでおり、更には、表示部１４に表示される原画像又は拡大画像にも及んでいる。
【０１０８】
以上のような撮像処理、記録処理、表示処理及び画像調整処理における撮像部１５及び信号処理部１６１は、ＣＰＵ１０に制御されて、撮像対象を撮像して画像データを作成する撮像手段として機能する。また、表示部１４は、撮像手段が作成した画像データに係る画像を表示する表示手段として機能する。更に、ＣＰＵ１０は、Ｓ２０にて操作部１３からの座標情報を受け付けることにより、表示手段に表示されている画像の一部の選択を受け付ける選択受付手段として機能する。
【０１０９】
ＣＰＵ１０は、表示手段に表示されている画像の一部の選択を選択受付手段が受け付けた場合、選択された一部を含む画像範囲を特定する特定手段として機能する。また、拡大処理部１６２は、ＣＰＵ１０に制御されて、特定手段が特定した画像範囲を表示手段の表示サイズ以下のサイズに拡大した拡大画像に係る拡大画像データを作成する拡大手段として機能する。更に、表示手段は、拡大手段が作成した拡大画像データに係る拡大画像を表示するようにしてある。なお、拡大画像のサイズを受け付けても良い。また、拡大画像のサイズが表示部１４の表示サイズより小さい場合、拡大画像と原画像の一部とを組み合わせた画像を表示部１４に表示する構成でも良い。
【０１１０】
また、ＣＰＵ１０は、信号処理部１６１が出力した画像データを記録部１７に入力して記録媒体に記録させ、拡大処理部１６２が出力した画像データを記録部１７に入力せず、このため記録部１７は拡大処理部１６２が出力した画像データを記録媒体に記録しない。つまり、記録部１７は、表示手段である表示部１４が原画像を表示する場合、及び、表示手段が拡大画像を表示する場合に、撮像手段が作成した画像データを記憶する記憶手段として機能する。
【０１１１】
更に、表示部１４は、拡大画像と共に報知情報を表示することによって、表示手段が拡大画像を表示する場合に、拡大画像を表示中であることを報知する報知手段として機能する。なお、表示部１４に報知情報を表示する構成ではなく、例えば撮像装置１にＬＥＤを設け、ＬＥＤを点灯／消灯／点滅させることによって、ユーザに対し、拡大画像を表示中であることを報知する構成でも良い。
【０１１２】
更にまた、ＣＰＵ１０は、Ｓ６１にて操作部１３からの座標信号を受け付け、受け付けた座標信号が示す座標に基づいて画素数ｍ及びｎを算出することにより、画素数ｍ及びｎを受け付ける画素数受付手段として機能する。また、画素数受付手段が画素数ｍ及びｎを受け付けた場合、特定手段であるＣＰＵ１０は、選択された一部を含む画像範囲としてｍ×ｎの画像範囲を用いるようにしてある。
【０１１３】
なお、操作部１３にテンキーを設けて、ユーザがテンキーから直接的に画素数ｍ，ｎの数値を入力する構成でも良い。また、原画像の半分の大きさ、原画像の四半分の大きさ等の選択肢をユーザに提示して選択させ、選択肢が選択された場合に、選択された選択肢に対応する画素数ｍ，ｎが入力されたと判定する構成でも良い。
【０１１４】
また、ＣＰＵ１０は、表示手段に表示されている画像の一部の選択を選択受付手段が受け付けた場合、選択された一部に係る撮像対象に対して撮像手段の焦点を合わせる焦点合致手段として機能し、撮像手段は、焦点合致手段が合わせた焦点で撮像対象を撮像して画像データを作成するようにしてある。更に、ＣＰＵ１０は、表示手段に表示されている画像の一部の選択を選択受付手段が受け付けた場合、選択された一部に係る撮像対象に対して撮像手段の絞りを調整する絞り調整手段として機能し、撮像手段は、絞り調整手段が調整した絞りで撮像対象を撮像して画像データを作成するようにしてある。
【０１１５】
更にまた、ＣＰＵ１０は、表示手段に表示されている画像の一部の選択を選択受付手段が受け付けた場合、選択された一部に対してホワイトバランスを調整するホワイトバランス調整手段として機能し、撮像手段は、ホワイトバランス調整手段が調整したホワイトバランスで画像データを作成するようにしてある。
【０１１６】
以上のような撮像装置１は、原画像の一部が選択されていない場合、表示部１４に原画像を表示することができる。また、原画像の一部が選択された場合、撮像装置１は、表示部１４に拡大画像を表示することができる。この結果、撮像装置１を用いて撮像対象を撮像中に撮像対象の一部の拡大画像を表示部１４で確認したい場合、ユーザは撮像対象の一部に対応する画像の一部に指を触れるだけで、表示部１４に撮像対象の画像の一部を大きく表示させることができる。また、撮像対象の画像の一部を拡大表示している間にも、即ち拡大画像を表示している間にも、撮像装置１は撮像対象を撮像し続け、記憶部１７に原画像データを記憶させることができる。
【０１１７】
本実施の形態の撮像装置１は、拡大画像データを記録しないが、例えば撮像終了後に、記憶部１７に記録させた原画像データを用いて拡大画像データを作成することができる。このため、例えば原画像データと拡大画像データとを同時的に記憶する場合よりも記憶手段の記憶容量を低減することができ、また、撮像中の撮像装置１のデータ記憶処理を簡易にすることができる。
【０１１８】
また、撮像装置１は、原画像の一部が選択された場合、選択された一部に係る撮像対象に対して焦点を合わせた原画像データを作成することができ、更に、選択された一部に係る撮像対象に対して絞りを調整した原画像データを作成することができ、更にまた、選択された一部に対してホワイトバランスを調整した原画像データを作成することができる。
【０１１９】
また、撮像装置１は、表示部１４に拡大画像を表示すると共に報知情報も表示することができ、ユーザに対して、表示部１４に原画像を表示しているか拡大画像を表示しているかを報知することができる。更に、撮像装置１は、拡大表示すべき画像範囲のサイズを受け付けて、ユーザが所望するサイズの画像範囲を拡大表示することができる。
【０１２０】
なお、本実施の形態においては、撮像装置１としてデジタルビデオカメラを例示したが、デジタルスチルカメラでも良い。また、本実施の形態においては、原画像及び拡大画像の両方が動画像であるが、これに限るものではなく、例えば拡大画像が静止画像でも良い。更に、拡大画像の一部を選択して、選択した一部を含む画像範囲を拡大した拡大画像を表示することが可能な構成でも良い。更にまた、原画像の一部を拡大して拡大画像を表示する際に、本実施の形態においてはデジタルズームで拡大しているが、光学ズームで拡大する構成でも良い。
【図面の簡単な説明】
【０１２１】
【図１】本発明に係る撮像装置の構成を示すブロック図である。
【図２】本発明に係る撮像装置の表示部に表示される画面の一例を示す模式図である。
【図３】本発明に係る撮像装置の表示部に表示される画面の他の例を示す模式図である。
【図４】本発明に係る撮像装置の撮像処理の手順を示すフローチャートである。
【図５】本発明に係る撮像装置の記録処理手順のサブルーチンを示すフローチャートである。
【図６】本発明に係る撮像装置の表示処理手順のサブルーチンを示すフローチャートである。
【図７】本発明に係る撮像装置の表示処理手順のサブルーチンを示すフローチャートである。
【図８】本発明に係る撮像装置の画像調整処理手順のサブルーチンを示すフローチャートである。
【図９】本発明に係る撮像装置の画像調整処理手順のサブルーチンを示すフローチャートである。
【符号の説明】
【０１２２】
１  撮像装置
１０  ＣＰＵ
１１  ＲＯＭ
１２  ＲＡＭ
１３  操作部
１３０  タッチパネル
１４  表示部（表示手段，報知手段）
１５  撮像部（撮像手段）
１６  画像処理部
１６１  信号処理部（撮像手段）
１６２  拡大処理部（拡大手段）
１７  記録部（記憶手段）
【図１】
2005348363.tif 000003
【図２】
2005348363.tif 000004
【図３】
2005348363.tif 000005
【図４】
2005348363.tif 000006
【図５】
2005348363.tif 000007
【図６】
2005348363.tif 000008
【図７】
2005348363.tif 000009
【図８】
2005348363.tif 000010
【図９】
2005348363.tif 000011